(57)【要約】  帯域幅の不連続部分へ対応する資源を割り当ておよび使用するための方法と装置。単一の割り当ては、たとえば、同時に、アップリンクあるいはダウンリンクバンドとして、無線端末により使用される帯域幅の複数の分離した部分を割り当てるために使用され得る。端末に割り当てられた帯域幅の異なる部分は、同報信号において無線端末へ通信されるか、または、格納された情報により決定される、関連するガードサブキャリア情報を有する異なる数および／または位置を持つガードサブキャリアを持ち得る。端末に使用のために割り当てられている帯域幅のばらばらな部分は、例えば、他のサービスプロバイダにより所有されているために使用可能ではない、例えば、１．２５ＭＨｚ以上の搬送波帯により分離され得る。いくつかの実施形態はＯＦＤＭ信号を使用して実現されるが、そこにおいて無線端末は、異なる不連続部分に対応するが、不連続部分を分離する帯域幅には対応しないサブキャリア（例、トーン）を含むＯＦＤＭシンボルを生成するか、または、受信することができる。
2009542121.tif 000002
【特許請求の範囲】
【請求項１】
通信資源を割り当てられる第１の無線端末を選択することと、前記資源に含まれない帯域幅の部分により分離される期間について帯域幅の少なくとも２つの不連続部分を含む資源を、前記第１の無線端末に割り当てること、
を含む、無線通信システムにおいて資源を割り当てるための方法。
【請求項２】
異なる数のガードサブキャリアが、帯域幅の異なる不連続部分と関係している、請求項１の方法。
【請求項３】
帯域幅の前記不連続部分の少なくとも１つにおいて、ガードサブキャリアの前記数と位置の少なくとも１つを表すガードサブキャリア情報を送信すること、
をさらに含む、請求項１の方法。
【請求項４】
帯域幅の前記不連続部分の少なくともいくつかが、異なる位置に位置するガードサブキャリアを持つ、請求項３の方法。
【請求項５】
前記ガードサブキャリア情報は、プリアンブルで同報通信される、請求項３の方法。
【請求項６】
前記第１の無線端末へ、帯域幅の前記少なくとも２つの不連続部分を含む前記資源の割り当てを伝える単一の割り当てメッセージを送信すること、  
をさらに含む、請求項１の方法。
【請求項７】
第２の期間について帯域幅の前記不連続部分の１つであって、時分割多重方式と周波数分割多重方式の１つ上で前記第１と第２の無線端末により共有されている帯域幅の前記不連続部分の前記１つ、に対応する資源を第２の端末に割り当てること、
をさらに含む、請求項６の方法。
【請求項８】
帯域幅の前記不連続部分は、少なくとも１．２５ＭＨｚ分離される、請求項６の方法。
【請求項９】
前記送信される割り当てメッセージは、サブキャリアのセットであって、帯域幅の前記少なくとも２つの不連続部分のおのおのから少なくとも１つのサブキャリアを含む前記サブキャリアのセット、に対応するノード識別子を含む、請求項６の方法。
【請求項１０】
割り当ては、帯域幅の複数の不連続部分から構築される通信チャンネルに対応するサブキャリアを表すチャンネルツリーに基づいて資源へ前記第１の端末を割り当てることを含む、請求項６の方法。
【請求項１１】
前記資源がアップリンク資源である、請求項６の方法。
【請求項１２】
前記資源がダウンリンク資源である、請求項６の方法。
【請求項１３】
前記不連続部分に対応するが、前記資源に含まれない帯域幅の前記部分に対応しないトーンを含む、前記無線端末へ向けられる情報を含むＯＦＤＭ信号を送信すること、
をさらに含む、請求項１の方法。
【請求項１４】
無線通信システムにおいて資源を割り当てるための通信装置であって、
通信資源を割り当てられる第１の無線端末を選択するための選択モジュールと、
前記資源に含まれない帯域幅の部分により分離される期間について、帯域幅の少なくとも２つの不連続部分を含む資源を、前記選択モジュールにより選択された前記第１の無線端末に割り当てるための資源割り当てモジュール、
を含む装置。
【請求項１５】
前記第１の無線端末に帯域幅の前記少なくとも２つの不連続部分を含む前記資源を割り当てることを伝える単一割り当てメッセージを生成するための割り当てメッセージ生成モジュールと、
生成された割り当てメッセージを送信するための無線送信機モジュール、
をさらに含む、請求項１４の装置。
【請求項１６】
割り当てに対して利用可能な通信バンドを表す格納されたエアーリンク資源情報であって、前記利用可能な通信バンド内のガードバンドの前記数と位置の少なくとも１つに関する情報を含む前記情報、を含むメモリ、
をさらに含む、請求項１５の装置。
【請求項１７】
資源に対応する割り当てに対して利用可能な帯域幅の異なる不連続部分を識別する格納されたエアーリンク資源情報を含むメモリ、
をさらに含む、請求項１６の装置。
【請求項１８】
帯域幅の前記不連続部分が、少なくとも１．２５ＭＨｚ分離される、請求項１７の装置。
【請求項１９】
前記割り当てメッセージ生成モジュールは、サブキャリアのセットであって、帯域幅の前記少なくとも２つの不連続部分のおのおのから少なくとも１つのサブキャリアを含む前記サブキャリアのセット、に対応するノード識別子を含む、割り当てメッセージを生成する、請求項１５の装置。  
【請求項２０】
前記メモリは、帯域幅の複数の不連続部分から構築される通信チャンネルに対応するサブキャリアを表すチャンネルツリー資源情報をさらに含む、  
請求項１７の装置。
【請求項２１】
前記資源がアップリンク資源である、請求項１５の装置。
【請求項２２】
前記資源がダウンリンク資源である、請求項１５の装置。
【請求項２３】
前記不連続部分に対応するが、前記資源に含まれない帯域幅の前記部分に対応しない、トーンを含むＯＦＤＭシンボルを生成するためのシンボル生成モジュールと、
前記不連続部分へ対応するが、前記資源に含まれない帯域幅の前記部分へ対応しない、トーンを含む、前記無線端末に向けられる情報を含むＯＦＤＭ信号を送信するための無線ＯＦＤＭ送信機モジュール、
をさらに含む、請求項１４の装置。
【請求項２４】
無線通信システムにおいて資源を割り当てるための通信装置であって、
通信資源を割り当てられる第１の無線端末を選択するための選択手段と、
前記資源に含まれない帯域幅の部分により分離される期間について帯域幅の少なくとも２つの不連続部分を含む資源を、前記選択手段により選択された前記第１の無線端末に割り当てるための手段、
を含む、前記装置。
【請求項２５】
前記第１の無線端末に帯域幅の前記少なくとも２つの不連続部分を含む前記資源を割り当てることを伝える単一割り当てメッセージを生成するための手段と、
生成された割り当てメッセ−ジを送信するための手段、
をさらに含む、請求項２４の装置。
【請求項２６】
割り当てに対して利用可能な通信バンドを表す格納されたエアーリンク資源情報であって、前記利用可能な通信バンド内のガードバンドの前記数と位置の少なくとも１つに関する情報を含む前記情報、を含むメモリ手段、
をさらに含む、請求項２５の装置。
【請求項２７】
生成するための前記手段は、サブキャリアのセットであって、帯域幅の前記少なくとも２つの不連続部分のおのおのから少なくとも１つのサブキャリアを含む前記サブキャリアのセット、に対応するノード識別子を含む割り当てメッセージを生成する、請求項２５の装置。
【請求項２８】
前記不連続部分に対応するが、前記資源に含まれない帯域幅の前記部分に対応しない、トーンを含むＯＦＤＭシンボルを生成するための手段と、
前記不連続部分に対応するが、前記資源に含まれない帯域幅の前記部分に対応しないトーンを含む前記無線端末に向けられる情報を含む、ＯＦＤＭ信号を送信するための手段、
をさらに含む、請求項２４の装置。
【請求項２９】
通信資源を割り当てられる第１の無線端末を選択するように、および、
前記資源に含まれない帯域幅の部分により分離される期間について帯域幅の少なくとも２つの不連続部分を含む資源を前記第１の無線端末に割り当てるように、
構成されるプロセッサ、
を含む装置。
【請求項３０】
ガードサブキャリアの異なる数が、帯域幅の異なる不連続部分と関係している、請求項２９の装置。
【請求項３１】
前記プロセッサは、
帯域幅の前記不連続部分の少なくとも１つにおいて、ガードサブキャリアの前記数と位置の少なくとも１つを表すガードサブキャリア情報を送信されることを引き起こすように、
さらに構成される、請求項２９の装置。  
【請求項３２】
前記プロセッサは、
前記第１の無線端末に帯域幅の前記少なくとも２つの不連続部分を含む前記資源の割り当てを伝える単一割り当てメッセージを送信されることを引き起こすように、
さらに構成される、請求項２９の装置。
【請求項３３】
前記プロセッサは、
前記不連続部分へ対応するが、前記資源に含まれない帯域幅の前記部分に対応しない、トーンを含む前記無線端末に向けられる情報を含むＯＦＤＭ信号を送信されることを引き起こすように、
さらに構成される、請求項２９の装置。
【請求項３４】
無線通信システムにおいて資源を割り当てる方法を実現する通信装置を制御するための機械実行可能な命令を組み入れるコンピュータ可読媒体であって、  
前記方法は、
通信資源を割り当てられる第１の無線端末を選択することと、前記資源に含まれない帯域幅の部分により分離される期間について帯域幅の少なくとも２つの不連続部分を含む資源を前記第１の無線端末に割り当てること、
を含む、コンピュータ可読媒体。
【請求項３５】
異なる数のガードサブキャリアが、帯域幅の異なる不連続部分と関係している、請求項３４のコンピュータ可読媒体。
【請求項３６】
帯域幅の前記不連続部分の少なくとも１つにおける、ガードサブキャリアの前記数と位置の少なくとも１つを表すガードサブキャリア情報を送信すること、
のための機械実行可能な命令をさらに組み入れる、請求項３４のコンピュータ可読媒体。
【請求項３７】
前記第１の無線端末に帯域幅の前記少なくとも２つの不連続部分を含む前記資源を割り当てることを伝える単一割り当てメッセージを送信すること、
のための機械実行可能な命令をさらに組み入れる、請求項３４のコンピュータ可読媒体。
【請求項３８】
前記不連続部分へ対応するが、前記資源に含まれない帯域幅の前記部分に対応しない、トーンを含む前記無線端末に向けられる情報を含むＯＦＤＭ信号を送信すること、
のための機械実行可能な命令をさらに組み入れる、請求項３４のコンピュータ可読媒体。
【請求項３９】
資源に含まれない帯域幅の部分により分離される帯域幅の少なくとも２つの不連続部分を含む資源を無線端末に、ある期間、割り当てることを表す資源割り当てメッセージを受信することと、
アクセスポイントと通信するために前記割り当てられた資源を使用すること、  
を含む、無線端末を動作させる方法。
【請求項４０】
異なる数のガードサブキャリアが、帯域幅の異なる不連続部分と関係している、請求項３９の方法。
【請求項４１】
帯域幅の前記不連続部分の少なくとも１つにおいて、ガードサブキャリアの前記数と位置の少なくとも１つを表すガードサブキャリア情報を受信すること、  
をさらに含む、請求項３９の方法。
【請求項４２】
前記受信ガードサブキャリア情報であって、帯域幅の異なる不連続部分内の異なるガードサブキャリアを表す格納されるガードサブキャリア情報、の少なくともいくつかを格納すること、
をさらに含む、請求項４１の方法。
【請求項４３】
ガードサブキャリア情報を受信することは、前記ガードサブキャリア情報を含む同報通信プリアンブルを受信することを含む、請求項４１の方法。
【請求項４４】
帯域幅の前記不連続部分が、少なくとも１．２５ＭＨｚ分離される、請求項３９の方法。
【請求項４５】
前記受信割り当てメッセージはノード識別子を含み、前記方法は、
前記無線端末により使用される前記ノード識別子に対応するサブキャリアのセットであって、帯域幅の前記少なくとも２つの不連続部分のおのおのから少なくとも１つのガードサブキャリアを含む前記サブキャリアのセットを、前記ノード識別子と格納された情報から決定すること、
をさらに含む、請求項４４の方法。
【請求項４６】
前記資源がアップリンク資源である、請求項４４の方法。
【請求項４７】
前記アクセスポイントに向けられる情報を含むＯＦＤＭシンボルであって、前記不連続部分に対応するが、前記資源に含まれない帯域幅の前記部分に対応しないトーンを含む前記ＯＦＤＭシンボル、を生成すること、そして、
そこにおいて、前記割り当てられた資源を使用することは、前記生成されたＯＦＤＭシンボルを送信することを含む、  
をさらに含む、請求項４６の方法。
【請求項４８】
前記資源がダウンリンク資源である、請求項４４の方法。
【請求項４９】
資源に含まれない帯域幅の部分により分離される帯域幅の少なくとも２つの不連続部分を含む資源を無線端末に、ある期間、割り当てることを表す資源割り当てメッセージを受信するための受信機モジュールと、
ｉ）前記割り当られる資源に対応するシンボルを生成するためのシンボル生成モジュールと、
ｉｉ）前記割り当られる資源に対応するシンボルを回復するためのシンボル回復モジュール、
の少なくとも１つ、
を含む無線端末。
【請求項５０】
異なる数のガードサブキャリアが、帯域幅の異なる不連続部分と関係している、請求項４９の無線端末。
【請求項５１】
帯域幅の前記不連続部分の少なくとも１つにおいて、ガードサブキャリアの前記数と位置の少なくとも１つを表す受信情報を回復するためのガードサブキャリア情報回復モジュール、
をさらに含む、請求項４９の無線端末。
【請求項５２】
前記受信ガードサブキャリア情報であって、帯域幅の異なる不連続部分内の異なるガードサブキャリア位置を表す格納されるガードサブキャリア情報、の少なくともいくつかを格納するためのメモリモジュール、
をさらに含む、請求項５１の無線端末。
【請求項５３】
帯域幅の前記不連続部分が、少なくとも１．２５ＭＨｚ分離される、請求項４９の無線端末。  
【請求項５４】
前記受信割り当てメッセージはノード識別子を含み、前記無線端末は、
前記ノード識別子に対応するサブキャリアのセットであって、帯域幅の前記少なくとも２つの不連続部分のおのおのから少なくとも１つのガードサブキャリアを含む前記サブキャリアのセット、を表す格納された情報を含むメモリモジュール、
をさらに含む、請求項５３の無線端末。
【請求項５５】
前記資源がアップリンク資源である、請求項５３の無線端末。
【請求項５６】
前記シンボル生成モジュールは、前記アクセスポイントに向けられる情報を含むＯＦＤＭシンボルであって、前記不連続部分へ対応するが、前記資源に含まれない帯域幅の前記部分へ対応しない、トーンを含む前記ＯＦＤＭシンボル、を生成するＯＦＤＭシンボル生成モジュールであることと、
前記ＯＦＤＭシンボル生成モジュールにより生成されたＯＦＤＭシンボルを送信するための送信機モジュール、  
をさらに含む、請求項５５の無線端末。
【請求項５７】
前記資源がダウンリンク資源である、請求項５３の無線端末。
【請求項５８】
資源に含まれない帯域幅の部分により分離される帯域幅の少なくとも２つの不連続部分を含む資源を無線端末に、ある期間、割り当てることを表す資源割り当てメッセージを受信するための受信機手段と、
ｉ）前記割り当てられる資源に対応するシンボルを生成するための手段と    
ｉｉ）前記割り当てられる資源に対応するシンボルを回復するための手段
の少なくとも１つ、  
を含む、無線端末。
【請求項５９】
異なる数のガードサブキャリアが、帯域幅の異なる不連続部分と関係している、請求項５８の無線端末。
【請求項６０】
帯域幅の前記不連続部分の少なくとも１つにおいて、ガードサブキャリアの前記数と位置の少なくとも１つを表す受信情報を回復するためのガードサブキャリア情報回復手段、
をさらに含む、請求項５８の無線端末。
【請求項６１】
前記受信ガードサブキャリア情報であって、帯域幅の異なる不連続部分内の異なるガードサブキャリア位置を表す格納されるガードサブキャリア情報、の少なくともいくつかを格納するためのメモリ手段、
をさらに含む、請求項６０の無線端末。
【請求項６２】
帯域幅の前記不連続部分が、少なくとも１．２５ＭＨｚ分離される、請求項５８の無線端末。
【請求項６３】
無線端末における使用のためのプロセッサであって、
資源に含まれない帯域幅の部分により分離される帯域幅の少なくとも２つの不連続部分を含む資源を前記無線端末に、ある期間、割り当てることを表す資源割り当てメッセージを受信するように、および、
アクセスポイントと通信するために、前記割り当て資源を使用するように、
構成される前記プロセッサ、
を含む装置。
【請求項６４】
異なる数のガードサブキャリアが、帯域幅の異なる不連続部分と関係している、請求項６３の無線端末。
【請求項６５】
前記プロセッサは、
帯域幅の前記不連続部分の少なくとも１つにおいて、ガードサブキャリアの前記数と位置の少なくとも１つを表すガードサブキャリア情報を受信するように、
さらに構成される、請求項６３の装置。
【請求項６６】
帯域幅の前記不連続部分が、少なくとも１．２５ＭＨｚ分離される、請求項６３の装置。
【請求項６７】
前記受信割り当てメッセージはノード識別子を含み、そして、前記プロセッサは、
前記無線端末により使用される前記ノード識別子に対応するサブキャリアのセット、
つまり、帯域幅の少なくとも２つの不連続部分のおのおのから少なくとも１つのガードサブキャリアを含む前記サブキャリアのセット、を前記ノード識別子と格納された情報から決定するように、
さらに構成される、請求項６６の装置。
【請求項６８】
他の通信装置と通信する方法を実現する無線端末を制御するための機械実行可能な命令を組み入れるコンピュータ可読媒体であって、前記方法は、
資源に含まれない帯域幅の部分により分離される帯域幅の少なくとも２つの不連続部分を含む資源を前記無線端末に、ある期間、割り当てることを表す資源割り当てメッセージを受信することと、
アクセスポイントと通信するために、前記割り当てられる資源を使用すること、
を含む、コンピュータ可読媒体。
【請求項６９】
異なる数のガードサブキャリアが、帯域幅の異なる不連続部分と関係している、請求項６８のコンピュータ可読媒体。
【請求項７０】
帯域幅の前記不連続部分の少なくとも１つにおいて、ガードサブキャリアの前記数と位置の少なくとも１つを表すガードサブキャリア情報を受信すること、
のために機械実行可能な命令をさらに組み入れる、請求項６８のコンピュータ可読媒体。
【請求項７１】
帯域幅の前記不連続部分が、少なくとも１．２５ＭＨｚ分離される、請求項６８のコンピュータ可読媒体。
【請求項７２】
前記受信される割り当てメッセージはノード識別子を含み、前記コンピュータ可読媒体は、
前記無線端末により使用される前記ノード識別子に対応するサブキャリアのセットであって、帯域幅の前記少なくとも２つの不連続部分のおのおのから少なくとも１つのガードサブキャリアを含む前記サブキャリアのセットを、前記ノード識別子と格納された情報から決定すること、
のための機械実行可能な命令をさらに組み入れる、請求項７１のコンピュータ可読媒体。
【発明の詳細な説明】
【技術分野】
【０００１】
本出願は、「移動広帯域通信無線アクセスのためのウルトラ−ハイデータレート（ＵＨＤＲ）（ＵＬＴＲＡ−ＨＩＧＨ  ＤＡＴＡ  ＲＡＴＥ（ＵＨＤＲ）  ＦＯＲ  ＭＯＢＩＬＥ  ＢＲＯＡＤＢＡＮＤ  ＷＩＲＥＬＥＳＳ  ＡＣＣＥＳＳ」と表題を付けられ、２００６年６月２３日に出願された、米国の仮特許出願  第６０／８１６，２８１号、「無線通信システムのための帯域幅割当（ＢＡＮＤＷＩＤＴＨ  ＡＬＬＯＣＡＴＩＯＮ  ＦＯＲ  ＷＩＲＥＬＥＳＳ  ＣＯＭＭＵＮＩＣＡＴＩＯＮ  ＳＹＳＴＥＭ）」と表題を付けられ、２００６年６月２１日に出願された、米国の仮特許出願  第６０／８１５，６６４号、および「無線通信システムのためのスーパーフレーム・ストラクチャー（ＳＵＰＥＲＦＲＡＭＥ  ＳＴＲＵＣＴＵＲＥ  ＦＯＲ  ＷＩＲＥＬＥＳＳ  ＣＯＭＭＵＮＩＣＡＴＩＯＮ  ＳＹＳＴＥＭ）」と表題を付けられ、２００６年６月２１日に出願された、米国の仮特許出願  第６０／８１５，７３３号の利益を主張し、そのおのおのは、参照によってここに明白に組み込まれる。
【０００２】
各種実施形態は、無線通信方法と装置に関する、および、特に資源の割当および／または使用に関する。
【背景技術】
【０００３】
無線通信システムは、世界中の大多数の人々が通信を行う広く一般的な手段になってきている。無線通信装置は、消費者ニーズを満たし、携帯性と利便性を改善するために、より小さく、よりパワフルになってきている。携帯電話のような移動装置における処理能力の上昇は、無線ネットワーク伝送システム上の需要の増加に結びついてきている。そのようなシステムは、一般に、その上で通信する携帯装置ほど、容易に更新されない。移動装置の能力が拡張するので、十分に新規性を取り入れ、新しい改善された無線装置の能力を十分に活用するように古い無線ネットワークシステムを維持することは困難であり得る。
【０００４】
無線通信システムは、一般に、チャンネルという形式において伝送資源を生成するために、種々のアプローチを利用する。これらのシステムは、符号分割多重（ＣＤＭ）システム、周波数分割多重（ＦＤＭ）システム、および、時分割多重（ＴＤＭ）システムであり得る。ＦＤＭの一般に利用される１つの変形は、システム帯域幅全体を複数の直交サブキャリアに効率的に分割する直交周波数分割多重（ＯＦＤＭ）である。これらのサブキャリアは、トーン、ビン、および、周波数チャンネルとしても呼ばれ得る。各サブキャリアは、データで変調され得る。時分割方式の技法により、各サブキャリアは、連続するタイムスライスまたはタイムスロットの全てまたは部分において使用され得る。各ユーザーは、定義されたバースト期間またはフレームにおいて、情報を送信し受信するために、１つ以上のタイムスロットとサブキャリアの組み合わせが提供され得る。ホッピング方式は、一般に、シンボルレートホッピング方式またはブロックホッピング方式であり得る。
【０００５】
符号分割に基づく技法は、一般に、範囲内の任意の時間において利用可能な多数の周波数にわたってデータを送信する。一般に、データは、デジタル化され、利用可能な帯域幅にわたって拡散され、そこにおいて複数のユーザーはチャンネル上に重畳され、それぞれのユーザーは独自のシーケンス符号を割り当てられ得る。ユーザーは、同じスペクトルの広帯域塊に送信することが可能であり、そこにおいて各ユーザー信号は、そのそれぞれの独自の拡散符号により帯域幅全体にわたって拡散される。この技法は、共用のために提供することが可能であり、そこにおいて１以上のユーザーは送信と受信を同時に行うことができる。そのような共用は拡散スペクトルデジタル変調を通じて達成されることが可能であるが、そこにおいてユーザーのビットストリームは符号化され、擬似ランダム方式にかなり広いチャンネルを横切って拡散される。受信機は、同期方式で特定のユーザーのビットを収集するために、関係する独自のシーケンス符号を認識し、および、そのランダム化を解除するように設計される。
【０００６】
典型的な無線通信ネットワーク（例、周波数、時間、および／または、符号分割技法を使用する）は、サービスエリアを提供する１つ以上の基地局と、カバレージエリア内でデータの送信と受信を行うことが可能な１つ以上の移動（例、無線）端末を含む。典型的な基地局は、同報通信、マルチキャスト、および／または、ユニキャストサービスのために複数のデータストリームを同時に送信することが可能である、そこにおいて、データストリームは、一移動端末へ独立した受信対象となり得るデータのストリームである。その基地局のカバレージエリア内の移動端末は、基地局から送信される１以上または全てのデータストリームを受信することに関心を持ち得る。同様に、移動端末は、基地局あるいは別の移動端末へデータを送信することが可能である。これらのシステムにおいて、帯域幅と他のシステム資源はスケジューラを利用して割り当てられる。
【０００７】
無線システムが時間にかけて発展していくにしたがい、サービスプロバイダは１つ以上の周波数帯を使用する権利を獲得するが、それらが通信権利を購入してこなかった他のものは獲得していない。これは、サービスプロバイダは、地理的区域（ｇｅｏｇｒａｐｈｉｃ  ｒｅｇｉｏｎ）において帯域幅の複数の不連続部分を使用する権利を所有するが、サービスプロバイダが権利を獲得してきた帯域幅の不連続部分の間に位置する帯域幅を使用することを妨げられる可能性があるという実情につながってきている。
【０００８】
帯域幅の不連続部分は、たとえば１回に帯域幅の１つの不連続部分を使用して通信する１つの無線端末または基地局により、個々に使用されるかもしれない。しかしながら、周波数ダイバーシチおよび／または処理能力の見地から、たとえば、１つまたは複数の方向における通信をサポートするために、無線端末または基地局が帯域幅の複数の不連続部分を同時に使用できることは望ましいことであるかもしれない。たとえば、高アップリンクデータレートまたはダウンリンクデータレートをサポートする必要のある場合には、どの方向が高データ処理能力に対する必要性を持っているかに依存して、アップリンク方向またはダウンリンク方向における通信をサポートするために、たとえば、他のサービスプロバイダキャリアにより分離される帯域幅の部分のような、帯域幅の複数の不連続部分を使用できることは、望ましいことであるかもしれない。
【０００９】
上記の見地において、不連続なバンド間における帯域幅の部分を使用せずに、帯域幅の不連続部分の使用を、基地局および／または無線端末に可能にする方法と装置に対する必要性が存在することは、明白なはずである。もし、サービスプロバイダのキャリア幅に対応する帯域幅（たとえば、いくつかのケースにおいて１．２５ＭＨｚ以上）だけ、不連続バンドが分離されていた場合の使用に、少なくともいくつかの方法と装置がよく適合されているならば、それは望ましいことであろう。
【発明の概要】
【００１０】
帯域幅の不連続部分に対応する資源の割り当てと使用に対する方法と装置が説明される。たとえば、同時に、アップリンクあるいはダウンリンクバンドとして、無線端末により使用されるためには、単一の割り当てが帯域幅の複数のばらばらな部分を割り当てるために使用され得る。端末に割り当てられる帯域幅の異なる部分は、関連するガードサブキャリア情報が、同報通信信号において無線端末へ通信されているか、または、格納された情報から決定されている状態で、ガードサブキャリアの異なる数および／または位置を持つ可能性がある。端末への使用のために割当される帯域幅のばらばらな部分は、たとえば、他のサービスプロバイダにより所有されるために、使用できない、たとえば１．２５ＭＨｚ以上のキャリアバンドだけ、分離され得る。いくつかの実施形態はＯＦＤＭ信号を使用して実現され、そこにおいて、無線端末は、たとえば異なる不連続部分に対応しているが、不連続部分を分離する帯域幅には対応しないトーンのような、サブキャリアを含むＯＦＤＭシンボルを生成するかまたは受信する可能性がある。
【００１１】
無線通信システムにおいて資源を割り当てるための典型的な方法は、通信資源を割り当てられる第１の無線端末を選択すること、および、前記の資源に含まれない帯域幅の部分により分離される期間について、帯域幅の少なくとも２つの不連続部分を含む資源を、第１の無線端末に割り当てることを含む。無線通信システムにおいて資源を割り当てるための典型的な通信装置は、通信資源を割り当てられる第１の無線端末を選択するための選択モジュールと、前記の資源に含まれない帯域幅の部分により分離される期間について帯域幅の少なくとも２つの不連続部分を含む資源を、前記の選択モジュールより選択された第１の無線端末に、割り当てるための資源割り当てモジュールを含む。
【００１２】
無線端末を動作させる典型的な方法は、前記資源に含まれない帯域幅の部分により分離される帯域幅の少なくとも２つの不連続部分を含む資源を前記の無線端末に、ある期間、割り当てることを指示する資源割り当てメッセージを受信することと、アクセスポイントと通信するために、前記の割り当てられる資源を使用することを含む。典型的な無線端末は、前記の資源に含まれない帯域幅の部分により分離された帯域幅の少なくとも２つの不連続部分を含む資源を、前記無線端末に、ある期間、割り当てることを指示する、資源割り当てメッセージを受信するための受信モジュールと、ｉ）割り当てられた資源に対応するシンボルを生成するためのシンボル生成モジュールと、ｉｉ）割り当てられた資源に対応するシンボルを回復するためのシンボル回復モジュール、の少なくとも１つ、を含む。
【００１３】
各種実施形態が上記の概要において説明されてきたが、すべての実施形態が必ずしも同じ特徴を含まないこと、および、いくつかの実施形態において上記で説明される特徴のいくつかは必要ではないが望ましいことであり得ることは明白なはずである。多数の追加的特徴、実施形態、および、便益が、続く詳細な説明において議論される。
【図面の簡単な説明】
【００１４】
【図１】多重アクセス無線通信の態様を示す。
【図２Ａ】多重アクセス無線通信システムのスーパーフレーム構造の態様を示す。
【図２Ｂ】多重アクセス無線通信システムのスーパーフレーム構造の態様を示す。
【図３】帯域幅割当の態様を示す。
【図４】多重アクセス無線通信システムのフレーム構造の態様を示す。
【図５Ａ】多重アクセス無線通信システムのフォワードリンクフレームの態様を示す。
【図５Ｂ】多重アクセス無線通信システムのリバースリンクフレームの態様を示す。
【図６】多重アクセス無線通信システムにおける第１と第２の通信装置の態様を示す。
【図７】多重アクセス無線通信システムにおける資源を割り当てる典型的な方法のフローチャートである。
【図８】各種実施例による無線端末(例、アクセス端末)を操作する典型的な方法のフローチャートである。
【図９】多重アクセス無線通信システムにおいて資源を割り当てる典型的な通信装置（例、基地局、アクセスポイント、または、中央コントローラノード）の図である。
【図１０】各種実施例による典型的な無線端末（例、アクセス端末）の図である。
【詳細な説明】
【００１５】
ここで各種実施形態が図面への参照とともに説明され、そこにおいて参照数字の類が、要素の類を全体にわたって参照するために使用される。以下の説明においては、説明の目的で、１つ以上の実施形態の完全な理解を提供するために、多数の特定の詳細が説明される。しかしながら、そのような実施形態は、これらの特定の詳細なしに実施され得ることは、明白であるかもしれない。他の例において、よく知られている構造と装置が、１つ以上の実施形態の説明を容易にするために、ブロック図の形式で示される。
【００１６】
図１を参照すると、１つの実施形態に従って、多重アクセス無線通信システム１００が説明される。多重アクセス無線通信システム１００は、複数のセル、例えば、セル１０２、セル１０４、および、セル１０６、を含む。図１の実施形態において、各セル（１０２、１０４、および１０６）は、それぞれ複数のセクタを含むアクセスポイント（１６２、１６４、１６６）を含むことができる。たとえば、セル１０２は、第１のセクタ１０２ａ、第２のセクタ１０２ｂ、および、第３セクタ１０２ｃを含む。複数のセクタは、セルの部分で、アクセス端末との通信に対しておのおの責任を持つアンテナのグループにより形成される。セル１０２では、アンテナグループ１１２、１１４、および１６のおのおのが異なるセクタに対応する。セル１０４では、アンテナグループ１１８、１２０、および、１２２のおのおのが異なるセクタに対応する。セル１０６では、アンテナグループ１２４、１２６、および、１２８のおのおのが異なるセクタに対応する。
【００１７】
各セルは、各アクセスポイントの１つ以上のセクタと通信しているいくつかのアクセス端末を含む。たとえば、アクセス端末１３０、１３２、１３４、１３６、および、１３８は、通信アクセスポイント１６２に存在する。アクセス端末１４０、１４２、１４４、１４６、１４８、および１３４は、アクセスポイント１６４と通信している。および、アクセス端末１３６、１４８、１５０、１５２、１５４、および、１５６は、アクセスポイント１６６と通信している。
【００１８】
コントローラ１８０は、セル１０２、１０４、および、１０６のおのおのに結合される。コントローラ１８０は、多重アクセス無線通信システム１００のセルと通信しているアクセス端末へまたはアクセス端末から情報を提供する複数のネットワーク（たとえば、インターネット、他のネットワークベースのパケットまたは回路スイッチボイスネットワーク）への１つ以上の接続を含むことができる。コントローラ１８０は、アクセス端末から、および、アクセス端末への送信をスケジュールするスケジューラを含むか、またはそれに結合される。他の実施形態において、スケジューラは、各個別セル、セルの各セクタ、または、それらの組み合わせに存在する可能性がある。
【００１９】
セクタの各々は、１つ以上の複数のキャリアを使用して動作することが可能である。各キャリアは、システムが動作可能であるまたは通信に対して利用可能である、より大きな帯域幅の部分である。１つ以上のキャリアを利用する単一セクタは、たとえば、フレームまたはスーパーフレームのような任意の与えられる期間の異なるキャリアのおのおのにスケジュールされる複数のアクセス端末を持つことができる。さらに、１つ以上のアクセス端末は、複数のキャリア上に、同時にスケジュールされ得る。
【００２０】
アクセス端末は、その能力にしたがって、１つのキャリアまたは１つより多くのキャリアにおいてスケジュールされ得る。これらの能力は、アクセス端末が通信を獲得しようと試みる場合に生成されるかまたは以前に折衝されてきたセッション情報の部分であるかもしれないし、アクセス端末により送信される識別情報の部分であるかもしれないし、または、いずれかの他のアプローチにしたがって確立されるかもしれない。ある態様では、セッション情報は、アクセス端末を問い合わせするかまたはその送信を通じてその能力を決定するかにより生成されるセッション識別トークンを含む可能性がある。
【００２１】
ここで使用されるように、アクセスポイントは、端末と通信するために使用される固定局である可能性があり、基地局、ノードＢ、または、なにか他の用語としても呼ばれ、そして、それらの機能のいくつかまたはすべてを含む可能性がある。アクセス端末は、ユーザー装備（ＵＥ）、無線通信装置、端末、無線端末、移動局、移動ノード、モーバイル、または、なにか他の用語でも呼ばれ、そして、それらの機能のいくつかまたはすべてを含む可能性がある。
【００２２】
図１は、物理セクタ、つまり、異なるセクタに対する異なるアンテナグループを持つことを表すが、他のアプローチが利用されるかもしれないことは、注意されるべきである。たとえば、おのおのが周波数空間においてセルの異なるエリアをカバーする複数の固定された“ビーム”を利用することは、物理セクタの代わりにまたは組み合わせて、利用される可能性がある。
【００２３】
図２Ａと２Ｂを参照すると、多重アクセス無線通信システムに対するスーパーフレーム構造の態様が説明される。図２Ａは、周波数分割二重（ＦＤＤ）の多重アクセス無線通信システムに対するスーパーフレーム構造の態様を示すが、図２Ｂは、時分割二重（ＴＤＤ）の多重アクセス無線通信システムに対するスーパーフレーム構造の態様を示す。スーパーフレームのプリアンブルは、各スーパーフレームの初めに送信されるか、または、たとえばプリアンブルとミッドアンブルのような、スーパーフレーム自体内に点在させられるかもしれない。
【００２４】
図２Ａと２Ｂの両方において、フォワードリンク送信は、スーパーフレームのユニットに分割される。スーパーフレームは、一連のフレームにより追随されるスーパーフレームのプリアンブルを含み得る。ＦＤＤシステムにおいて、リバースリンクとフォワードリンク送信は、リンク上の送信が任意の周波数サブキャリア上で、重ならないかまたは大部分で重ならないように、異なる周波数帯域幅を占有し得る。ＴＤＤシステムにおいて、ＮフォワードリンクフレームとＭリバースリンクフレームは、フレームの反対タイプの送信を許容する以前に、連続して送信され得る、連続するフォワードリンクフレームとリバースリンクフレームの数を定義する。ＮとＭの数は与えられたスーパーフレーム内、または、スーパーフレームの間で変化する可能性があることは、注意されるべきである。
【００２５】
図２Ａの図面２００は、フレーム（２０４、２０６、２０８、２１０、２１２、２１４、２１６、２１８、２２０、２２２、２２４、２２６、２２８、２３０、２３２、２３４、２３６、２３８、２４０、２４２、２４４、２４６、２４８、および、２５０）により追随されるスーパーフレームプリアンブル２０２を含む典型的なフォワードリンクスーパーフレーム２０１を示している。他のフォワードリンクスーパーフレームのはじめの部分は、フレーム２０４'により追随されるスーパーフレームプリアンブル２０２'を含めて説明される。典型的なブロックホッピングモードにおいて、たとえばフレーム２１８のような典型的なフレームは、データ部分２５２、制御部分２５４、パイロット部分２５６、および、共通パイロット部分２５８を含む。典型的なシンボルレートホッピングモードにおいて、たとえばフレーム２１８のような典型的なフレームは、データ部分２６０、制御部分２６２、パイロット部分２６４、および、共通パイロット部分２６６を含む。
【００２６】
図２Ｂの図２７０は、フォワードリンク・シグナリングに対して利用されるフレームのシーケンスとリバースリンクフレームに対して予約されたミュート期間（フレーム２７４、ミュートタイム２７６、フレーム２７８、ミュートタイム２８０、フレーム２８２、ミュートタイム２８４、フレーム２８６、ミュートタイム２８８、フレーム２９０、ミュートタイム２９２、フレーム２９４、ミュートタイム２９６、フレーム２９８、ミュートタイム２９９）に追随されるスーパーフレームプリアンブル２７２を含む、典型的なフォワードリンクスーパーフレーム２７１を示す。他のフォワードリンクスーパーフレームのはじめの部分は、フレーム２７４'により追随されるスーパーフレームプリアンブル２７２'を含めて説明される。典型的なブロックホッピングモードにおいて、たとえばフレーム２８６のような典型的なフレームは、データ部分２７５、制御部分２７７、パイロット部分２７９、および、共通パイロット部分２８１を含む。典型的なシンボルレートホッピングモードにおいて、たとえばフレーム２８６のような典型的なフレームは、データ部分２８３、制御部分２８５、パイロット部分２８７、および、共通パイロット部分２８９を含む。
【００２７】
ＦＤＤとＴＤＤシステムの両方において、おのおののスーパーフレームは、スーパーフレームプリアンブルを含む可能性がある。ある実施形態において、スーパーフレームプリアンブルは、アクセス端末によるチャンネル推定に対して使用される可能性のあるパイロットを含むパイロットチャンネル、アクセス端末がフォワードリンクフレーム内に含まれる情報を復調するために利用する可能性のある構成情報を含む同報通信チャンネルを含む。さらにタイミングのような捕捉情報と、アクセス端末が通信するために十分な他の情報と、基本パワー制御またはオフセット情報は、スーパーフレームプリアンブル内に含まれる可能性もある。他のケースにおいて、上記のいくつかのみ、および／または他の情報は、このスーパーフレームプリアンブル内に含まれる可能性がある。
【００２８】
ある態様において、次の情報は、スーパーフレームプリアンブル内に含まれる可能性がある。（ｉ）共通パイロットチャンネル、（ｉｉ）システムと構成情報を含む同報通信チャンネル、（ｉｉｉ）タイミングと他の情報を捕捉するために使用される捕捉パイロットチャンネル（acquisition pilot channel）、および、（ｉｖ）他のセクタに関してその測定された干渉のセクタからのインディケータを含む、他セクタ干渉チャンネル。
【００２９】
さらに、ある態様において、スーパーフレームプリアンブルにおけるチャンネルに対するメッセージは、異なるスーパーフレームの複数のスーパーフレームプリアンブルにわたる可能性がある。これは、より大きな資源をある高優先性メッセージに割り当てることにより、復号能力を改善するために利用され得る。
【００３０】
図２Ａと２Ｂに示されるように、スーパープリアンブルは、フレームのシーケンスにより追随される。各フレームは、ある定義された期間を通じて送信に対して同時に利用され得る、たくさんのサブキャリアを構成する、同じかまたは異なる数のＯＦＤＭシンボルを含む可能性がある。さらに、各フレームは、１つ以上の非連続ＯＦＤＭシンボルがフォワードリンクまたはリバースリンク上でユーザーに割り当てられるシンボルレートホッピングモードか、または、ユーザーがＯＦＤＭシンボルのブロック内でホップするブロックホッピングモードにしたがって、動作することができる。現実のブロックあるいはＯＦＤＭシンボルは、フレーム間でホップするかもしれないし、または、しないかもしれない。
【００３１】
図３は、帯域幅割当の態様を示す。スーパーフレームプリアンブルによりスパン（ｓｐａｎ）された帯域幅は、１つ以上の態様において、１．２５ＭＨｚになり得る。他の態様では、２．５ＭＨｚ、５ＭＨｚ、２０ＭＨｚ、または、なにか他の帯域幅であるかもしれない。
【００３２】
図３では、帯域幅３００は、複数のキャリア３０２、３０４、および、３０６に分割される。ある態様では、捕捉、割り当て、アクセス、要求、パワー制御、パイロット、および、報告チャンネルは、キャリアのおのおのに存在する。さらに、各キャリアは、スーパーフレームプリアンブルとフォワードリンク制御チャンネルとリバースリンク制御チャンネルを持つことができる。しかしながら、現実の符号化、送信レート、メッセージタイプとタイミング、資源配分、オーバーヘッドメッセージ、ホップパターン、および／または、シーケンスと他の伝送と位置パラメータは、キャリアからキャリアへ変化し得る。フォーマット、送信レート、および、ホッピング情報は、示されるか、あるいはそうでなければ、アクセス端末に利用可能であるかもしれない。この情報は、特定のキャリアと関係しない分離制御チャンネルを通じて利用可能であるかもしれないし、または、他の手段を介して提供されるかもしれない。
【００３３】
信号を復調するためにより大きな能力を持ついくつかの端末は、スーパーフレーム内、連続スーパーフレーム内、または、その通信セッション間において、２つ以上のキャリア上にスケジュールされる可能性がある。これらのマルチキャリアアクセス端末は、通信セッションまたはスーパーフレーム間のリバースリンクフレームとフォワードリンクフレームに対して、異なるキャリアを使用することができるかもしれないし、異なるスーパーフレーム内または通信セッション間の異なるキャリア上にスケジュールされるかもしれないし、または、異なるキャリア上で時間において実質的に同期しているフレーム上にスケジュールされ得る。そのようなマルチキャリアアクセス端末は、与えられたキャリアについて資源のロード・バランシングを提供するため、および、全ての帯域幅を通じて統計的多重化ゲインを提供するために、スケジュールされる可能性がある。
【００３４】
スーパーフレームの内、連続スーパーフレーム内、または、その通信セッション間で、いくつかのキャリアを横切って動作する多重キャリアアクセス端末をサポートするために、いくつかのアプローチが提供され得る。第１に、多重キャリアアクセス端末は、キャリアのおのおのに対するフォワードリンク制御チャンネルとスーパーフレームプリアンブルを、個々に復調することができる。そのような場合には、割り当て、スケジュール、パワー制御、および同種のものは、キャリア・バイ・キャリア・ベースに実行されるであろう。
【００３５】
ある態様では、ばらばらであるキャリアの各部分は、１．２５ＭＨｚ以下である。その部分は、≦２０ＭＨｚの全帯域幅にわたって拡散される可能性がある。さらに、いくつかの態様では、同じキャリアの各部分間の間隔は、１．２５ＭＨｚの倍数である。しかしながら、部分のサイズと、その間の他の隔間とは、帯域幅の割当または同種のものに依存して利用され得る。
【００３６】
いくつかの態様では、１つ以上の捕捉パイロット（acquisition pilot）は、たとえば、セクタまたはアクセスポイントの１．２５ＭＨｚ、２．５ＭＨｚ、５ＭＨｚ、１０ＭＨｚ、または、２０ＭＨｚのような全ＦＦＴサイズを伝送する。いくつかの態様では、この情報は捕捉パイロットのスクランブリングにより供給される可能性がある。他の態様では、この情報はスーパーフレームプリアンブルの他の部分で伝送され得る。
【００３７】
ある態様では、１つ以上のキャリアの非連続割当の仕様は、スーパーフレームプリアンブル内の１つ以上のオーバーヘッドチャンネル上で供給される可能性がある。たとえば、オーバーヘッドチャンネルまたはパイロットにおいてキャリアを識別する情報は、キャリアの１つ以上の部分内で、ガードキャリアの数および／または位置を識別する割当ビットマップを含むことができる。
【００３８】
スケジューリングの目的のために、非連続部分における資源は、１ユーザーかまたは複数のユーザーへの単一の割り当てにアドレスされるか、または、キャリアの独立部分を独立して割り当てられるかもしれない。たとえば、チャンネルツリーがスケジュールのために使用される場合には、それらが連続部分内にあるなしに関わらず、チャンネルツリーノードに連続的にマップされ得る。つまり、各資源は、キャリアに基づき、帯域幅内のその位置には基づかない資源識別を持つ。
【００３９】
図４へ参照すると、複数のアクセス無線通信システムに対するチャンネル構造の態様が説明される。複数の不連続部分を含む仮想の帯域幅４００は、システム設計パラメータにしたがって、通信に対して利用可能である。その構造は、１つ以上のフォワードリンクフレーム４０４とリバースリンクフレーム４０８を含むが、そのそれぞれは、図２Ａ  および／または図２Ｂに関して説明されたように、１つ以上のスーパーフレームの部分であるかもしれない。
【００４０】
各フォワードリンクフレーム４０４は、制御チャンネル４０６を含む。制御チャンネル４０６のおのおのは、たとえば、捕捉、受信通知、各アクセス端末に対するフォワードリンク割り当て、に関係する機能についての情報を含み得る。そして、それらは、同報通信、マルチキャスト、および、ユニキャストメッセージタイプ、各アクセス端末に対するリバースリンク割り当て、各アクセス端末に対するリバースリンクパワー制御、および、リバースリンク受信通知に関して異なるかまたは同じであるかもしれない。多かれ少なかれそのような機能が制御チャンネル４０６内でサポートされるかもしれないことは、注意されるべきである。さらに、制御チャンネル４０６は、データチャンネルへ割り当てられるホッピングシーケンスと同じかまたは異なるホッピングシーケンスにしたがって、各フレームにおいてホップすることができる。
【００４１】
各リバースリンクフレーム４０８は、端末アクセスからの、多くのリバースリンク送信（例、たとえば、４１２、４１４、および４１６）を含む。図４では、リバースリンク送信は、ブロック、つまり連続ＯＦＤＭシンボルのグループであるように描かれている。たとえば非連続シンボルブロックのようなシンボルレートホッピングが利用されることも可能性があることは、注意されるべきである。
【００４２】
さらに、各リバースリンクフレーム４０８は、１以上のリバースリンク制御チャンネル４４０を含む可能性がある。それは、リバースリンク送信４１２，４１４，４１６内に含まれるかもしれない受信通知チャンネル、リバースリンクチャンネル推定に対するパイロットチャンネル、フィードバックチャンネルを含み得る。リバースリンク制御チャンネル４４０のおのおのは、たとえば、各アクセス端末によるフォワードリンクとリバースリンク資源要求、たとえば、送信の異なるタイプに対するチャンネル品質情報（ＣＱＩ）のようなチャンネル情報、および、チャンネル推定の目的のためにアクセスポイントにより使用されるかもしれないアクセス端末からのパイロット、に関係する機能に関する情報を含み得る。多かれ少なかれ、そのような機能は、制御チャンネル４４０内でサポートされ得ることは、注意されるべきである。さらに、リバースリンク制御チャンネル４４０は、データチャンネルに割り当てられるホッピングシーケンスと同じであるかまたは異なるホッピングシーケンスに従って、各フレームにおいてホップすることができる。
【００４３】
ある態様では、リバースリンク制御チャンネル４４０上でユーザーを多重化するために、１つ以上の直交符号、スクランブルシーケンス、または同種のものは、各ユーザーおよび／またはリバースリンク制御チャンネル４４０で送信される情報の異なるタイプを分離するために利用されるかもしれない。これらの直交符号は、ユーザー特有であるかもしれないし、または、通信セッション毎、または、たとえばスーパーフレーム毎のようにより短い期間毎に、各アクセス端末にアクセスポイントにより割当られるかもしれない。
【００４４】
さらに、ある態様では、ＯＦＤＭシンボルにおける利用可能なサブキャリアのいくつかは、ガードサブキャリアとして指定される可能性があり、そして変調されない可能性がある。つまり、これらのサブキャリア上でエネルギーは送信されない。スーパーフレームプリアンブルにおける、および、各フレームにおける、ガードサブキャリアの数は、スーパーフレームプリアンブルまたは制御チャンネル４０６における１つ以上のメッセージを通じて供給され得る。
【００４５】
さらに、いくつかの態様では、特別な端末へのオーバーヘッド送信を減らすために、パケットのシンボルがサブキャリア上で送信されるべき場合でさえ、パケットがそのアクセス端末に対して共同で符号化され得る。このように、単一の巡回冗長検査はパケットに対して利用される可能性があり、そして、これらのパケットからのシンボルを含む送信は、巡回冗長検査のオーバーヘッド送信にはならない。
【００４６】
帯域幅４００は、不連続サブキャリアを含み得る、そして、隣接している必要はないことは、注意されるべきである。そのような態様においては、制御チャンネルは、キャリアの部分のすべてより少なく限定され、その部分の間にランダムに配置され、または、ある種の決定論的なやり方でその部分の間でスケジュールされる可能性がある。
【００４７】
図５Ａを参照すると、複数のアクセス無線通信システムに対するフォワードリンクフレームの態様が図示される。図５Ａにおいて示されるように、各フォワードリンクフレーム４０４は、さらに２つのセグメントに分割される。最初に、サブキャリアの連続的グループを含むかまたは含まない可能性のある制御チャンネル４０６は、所望される制御データ量と他の考慮に依存して割り当てられる変動数のサブキャリアを有する。残りの部分４２２は、一般に、データ送信に対して利用可能である。制御チャンネル４０６は、１つ以上のパイロットチャンネル５１２と５１４を含む可能性がある。シンボルレートホッピングモードにおいて、パイロットチャンネルは、各フォワードリンクフレームにおけるＯＦＤＭシンボルのおのおのの上に存在し、それらの例において制御チャンネル４０６内に含まれる必要はない。両方の場合において、シグナリングチャンネル５１６とパワー制御チャンネル５１８は、図５Ａに示されるように、制御チャンネル４０６内に存在する。シグナリングチャンネル５１６は、割り当て、受信通知、および／または、パワー基準、および、リバースリンク上のデータ、制御、および、パイロット送信に対する調整を含む可能性がある。
【００４８】
パワー制御チャンネル５１８は、そのセクタのアクセス端末からの送信により他のセクタで生成される干渉に関する情報を伝送することができる。さらに、ある態様では、全帯域幅の端におけるサブキャリア４２０は、擬似ガードサブキャリアとして機能し得る。
【００４９】
複数の送信アンテナがセクタに対して送信するために使用され得る場合、異なる送信アンテナが、同じスーパーフレームタイミング（スーパーフレームインデックスを含む）、ＯＦＤＭシンボル特性、および、ホップシーケンスを持たねばならないことは、注意されるべきである。
【００５０】
いくつかの態様において、制御チャンネル５１２、５１４、５１６、５１８は、データ送信と同じ割当を含む可能性があり、たとえば、データ送信がブロックホップされる場合、同じかまたは異なるサイズのブロックが制御チャンネルに対して割当され得ることは、注意されるべきである。
【００５１】
図５Ｂを参照すると、複数のアクセス無線通信システムに対するリバースリンクフレームの態様が示される。パイロットチャンネル５２２は、アクセスポイントがリバースリンクを推定することを可能にするパイロットを含み得る。要求チャンネル５２４は、アクセス端末が、次のリバースリンク、および、フォワードリンク、フレームのための資源を要求することを可能にする情報を含み得る。
【００５２】
リバースリンクフィードバックチャンネル５２６は、アクセス端末がチャンネル情報ＣＱＩに関してフィードバックを供給することを可能にする。ＣＱＩは、１つ以上のスケジュールモード、あるいはスケジューリングに利用可能なモード、アクセス端末への送信に利用可能なモード、に関係し得る。典型的なモードは、ビームフォーミング、ＳＤＭＡ、プリコーディング、またはそれらの組み合わせを含む可能性がある。パワー制御チャンネル５２８は、たとえば、アクセス端末によるデータ送信のようなリバースリンク送信に対するパワー制御指令を生成することを、アクセスポイントに許容するために、基準として使用されるかもしれない。いくつかの態様において、パワー制御チャンネル５２８は、１つ以上のフィードバックチャンネル５２６を含むことができる。データチャンネル４３２は、異なるリバースリンクフレーム４０８においてシンボルレートホッピングまたはブロックホッピングモードに従い動作可能である。さらに、ある態様では、全帯域幅の端におけるサブキャリア４８０は、擬似ガードサブキャリアとして機能し得る。
【００５３】
図５Ａと５Ｂは、時間内に多重化されているように制御チャンネル４０６と４４０を構築するチャンネルを描くが、これはそうである必要がないことは、注意されるべきである。制御チャンネル４０６と４４０を構築する異なるチャンネルは、異なる直交、擬似直交、または、スクランブル符号、異なる周波数、または、時間、符号、および、周波数の任意の組み合わせを使用して多重化され得る。
【００５４】
図６を参照すると、ＭＩＭＯシステム８００における、典型的な第１の通信装置またはシステム８１０、および典型的な第２の通信装置またはシステム８５０の実施形態のブロック図が示されている。第１の通信装置８１０において、多数のデータストリームに対するトラフィックデータは、データソース８１２から送信（ＴＸ）データプロセッサ８１４へ供給される。実施形態においては、各データストリームは、個別の送信アンテナ上で送信される。ＴＸデータプロセッサ８１４は、そのデータストリームが符号化されるデータを供給するために選択された特別の符号化スキームに基づいて各データストリームに対して、トラフィックデータをフォーマットし、符号化し、インタリーブを行う。
【００５５】
各データストリームに対して符号化されたデータは、ＯＦＤＭ技法を使用してパイロットデータで多重化され得る。パイロットデータは、一般に、既知の方法で処理される既知のデータパターンであり、そしてチャンネル応答を推定するために、受信機システムにおいて使用され得る。各データストリームに対して多重化されたパイロットと符号化されたデータは、そのデータストリームが変調シンボルを供給するために選択された特別の変調方式（例、ＢＰＳＫ、ＱＳＰＫ、Ｍ−ＰＳＫ、または、Ｍ−ＱＡＭ）に基づいて、次に変調される（つまり、シンボルマップされる）。データレート、符号化、および各データストリームに対する変調は、プロセッサ８３０により実行される命令により決定され得る。
【００５６】
データストリームのおのおのに対する変調シンボルは、次に、変調シンボル（例、ＯＦＤＭに対する）を処理するＴＸプロセッサ８２０に供給される。ＴＸプロセッサ８２０は、次に、ＮＴ個の変調シンボルストリームをＮＴ個の送信機（ＴＭＴＲ８２２ａから８２２ｔまでを通じて）に供給する。各送信機８２２は、１つ以上のアナログ信号を供給するために、それぞれのシンボルストリームを受信し処理を行い、ＭＩＭＯチャンネルに及ぶ送信に対して相応しい変調信号を供給するために、アナログ信号をさらに調整（例、増幅、フィルタ、および、アップコンバート）する。送信機８２２ａから８２２ｔにより変調されたＮＴ個の信号は、次に、ＮＴ本のアンテナ８２４ａから８２４ｔにより、それぞれ送信される。
【００５７】
第２の通信装置８５０において、送信された変調信号は、ＮＴ本のアンテナ８５２ａから８５２ｒにより受信され、各アンテナ８５２から受信された信号は、それぞれの受信機（ＲＣＶＲ）８５４へ供給される。各受信機８５４（８５４ａから８５４ｒまで）は、受信された信号それぞれを調整（例、フィルタ、増幅、および、ダウンコンバート）し、サンプルを供給するために調整された信号をデジタル化し、および、対応する“受信された”シンボルストリームを供給するために、サンプルをさらに処理する。
【００５８】
ＲＸデータプロセッサ８６０は、次に、ＮＴ個の“検出された”シンボルストリームを供給するために、特別の受信機処理技法に基づき、ＮＲ個の受信機８５４からＮＲ個の受信されたシンボルストリームを受信し処理する。ＲＸデータプロセッサ８６０による処理は、下記でさらに詳細に説明される。各検出されたシンボルストリームは、対応するデータストリームに対して送信された変調シンボルの推定であるシンボルを含む。ＲＸデータプロセッサ８６０は、次にデータストリームに対するトラフィックデータを回復するために、各検出されたシンボルストリームを、復調し、ディスインターリーブを行い復号する。回復されたデータは、データシンク８６４内に格納される。ＲＸデータプロセッサ８６０による処理は、第１の通信装置８１０におけるＴＸプロセッサ８２０とＴＸデータプロセッサ８１４により実行されるものに対して相補的である。
【００５９】
ＲＸデータプロセッサ８６０は、同時に復調する可能性のあるサブキャリアの数（例、５１２サブキャリアつまり５ＭＨｚ、１２８サブキャリアつまり１．２５ＭＨｚ、２５６サブキャリアつまり２．５ＭＨｚ）に制限される可能性がある。
【００６０】
ＲＸプロセッサ８６０により生成されるチャンネルレスポンス推定は、受信機における空間、空間／時間処理を実行し、パワーレベルを調整し、変調レートまたは方式または他の行動を変更するために、使用され得る。ＲＸプロセッサ８６０は、検出されたシンボルストリームの信号対雑音および干渉比（ＳＮＲ）と可能な他のチャンネル特性をさらに推定し、プロセッサ８７０へこれらの量を供給する。ＲＸデータプロセッサ８６０またはプロセッサ８７０は、システムのための“動作している”ＳＮＲの推定をさらに導出する可能性がある。プロセッサ８７０は、次に、通信リンク、および／または、受信されたデータストリームに関する各種タイプの情報を含む可能性のあるチャンネル状態情報（ＣＳＩ）を供給する。たとえば、ＣＳＩは動作しているＳＮＲを含む可能性がある。ＣＳＩは、次にＴＸデータプロセッサ８１８により処理され、変調器８８０により変調され、送信機８５４ａから８５４ｒまでにより調整され、および、第１の通信装置８１０へ送り返される。たとえば、リバースリンクトラフィックを含む、データソース８１６からの追加データは、ＴＸデータプロセッサ８１８により受信され、変調器８８０により変調され、送信機８５４ａから８５４ｒまでにより調整され、そして、第１の通信装置８１０へ送信されることがあるかもしてない、そして、時にはある。
【００６１】
第１の通信装置８１０において、第２の通信装置８５０からの変調信号は、アンテナ８２４により受信され、受信機８２２により調整され、復調器８４０により復調され、そして、受信機システムにより報告されるＣＳＩを回復するために、ＲＸデータプロセッサ８４２により処理される。報告されたＣＳＩは、次に、プロセッサ８３０へ供給され、（１）データストリームに対して使用されるデータレートと符号化と変調方式を決定するためと、（２）Ｔｘデータプロセッサ８１４とＴＸプロセッサ８２０に対しる種々の制御を生成するために、使用される。あるいは、ＣＳＩは、他の情報にそって、変調方式、および／または、送信に対する符号化レートを決定するために、プロセッサ８７０により利用される可能性がある。次に、これは、この情報を使用し、それは量子化され、第２の通信装置の受信機に後の送信を供給するために、第１の通信装置の送信機に供給され得る。ＲＸデータプロセッサ８４２により回復されたデータは、データシンク８４４に格納されるかもしれない、そして時には格納される。回復されるデータは、リバースリンクトラフィックデータを含んだかもしれない、そして、時には含まれることもある。
【００６２】
プロセッサ８３０と８７０は、それぞれ、第１と第２の通信装置における動作を指令する。メモリ８３２と８７２は、それぞれ、プロセッサ８３０と８７０により使用されるデータとプログラムコードのための記憶装置を提供する。
【００６３】
受信機において、種々の処理技法は、ＮＴ個の送信されたシンボルストリームを検知するために、ＮＲ個の受信された信号の処理に使用され得る。受信機処理技法は、（ｉ）空間および空間−時間・受信機処理技法（等化技法とも呼ばれる）、および、（ｉｉ）“逐次ヌリング／等化と干渉キャンセラ（successive nulling/equalization and interference cancellation）” 受信機処理技法（“逐次干渉キャンセル”または“逐次キャンセル” 受信機処理技法とも呼ばれる）、という２つの主要なカテゴリにグループ分けされ得る。
【００６４】
図６は、ＭＩＭＯシステムを説明しているが、同じシステムは、たとえば基地局上にあるような複数の送信アンテナが、たとえば移動局のような単一アンテナ装置へ１つ以上のシンボルストリームを送信する、複数入力−単一出力システムへ応用され得る。同様に、単一出力単一入力アンテナシステムは、図６に関係して説明されるのと同じやりかたで使用され得る。
【００６５】
ここで説明される送信技法は、種々の手段により実現されるかもしれない。例えば、これらの技法は、ハードウェア、ファームウェア、ソフトウェア、または、それらの組み合わせで実現されるかもしれない。ハードウェア・インプリメンテーションについて、送信機における処理装置は、１つ以上の、特定用途向けＩＣ（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、電子機器、ここに説明された機能を行うことを目指した他の電子ユニット、または、それらの組み合わせ内で実現されるかもしれない。受信機における処理装置もまた、１つ以上のＡＳＩＣ、ＤＳＰ、プロセッサなどの内で実現されるかもしれない。
【００６６】
ソフトウェア・インプリメンテーションについては、送信技法は、ここで説明される機能を実行するモジュール（例、手続き、機能、等）で実現されるかもしれない。ソフトウェアコードは、メモリ内（例、図６のメモリ８３２または８７２）に格納され、そして、プロセッサ（例、プロセッサ８３０あるいは８７０）により実行され得る。メモリは、プロセッサ内またはプロセッサの外部に実装実現され得る。
【００６７】
チャンネルの概念は、アクセスポイントまたはアクセス端末により送信されるかもしれない情報または送信のタイプをここでは言っていることは注意されるべきである。それは、サブキャリア、期間、または、そのような送信に専用の他の資源、の固定された、または前もって定められたブロックを、必要としない、または使用しない。
【００６８】
図７は、たとえば、無線通信システムにおける資源を割り当てるための、基地局、アクセスポイントまたは中央制御のような通信装置を動作させる典型的な方法の流れ図７００である。ステップ７０２において、動作は開始する。ここで、通信装置がパワーオン状態にされ、初期化され、ステップ７０４へ進む。ステップ７０４において、通信装置は通信資源を割り当てられる第１の無線端末を選択し、そして、ステップ７０６において、通信装置は通信資源を割り当てられる第２の無線端末を選択する。動作はステップ７０６からステップ７０８へと進む。
【００６９】
ステップ７０８において、通信装置は、第１の無線端末に、１期間について帯域幅の少なくとも２つの不連続部分であって、前記の資源に含まれない帯域幅の部分により分離される帯域幅の２つの不連続部分を含む資源を割り当てる。種々の実施形態において、帯域幅の不連続部分は、少なくとも１．２５ＭＨｚ分離される。
【００７０】
動作は、ステップ７０８からステップ７１０へ進む。ステップ７１０において、通信装置は、第２の期間中、帯域幅の前記の不連続部分の１つであって、時分割多重方式と周波数分割多重方式の１つ上で、前記の第１と第２の無線端末により共有されている帯域幅の前記の不連続部分の前記の１つ、に対応する資源を、第２の無線端末に割り当てる。動作は、ステップ７１０からステップ７１１へ進む。
【００７１】
ステップ７１１において、通信装置は、帯域幅の前記の不連続部分の少なくとも１つにおいて、ガードサブキャリアの数と位置の少なくとも１つを表すガードサブキャリア情報を送信する。いくつかの実施形態において、ガードサブキャリアの異なる数は、帯域幅の異なる不連続部分と関係している。いくつかの実施形態において、帯域幅の不連続部分の少なくともいくつかは、異なる位置においてガードサブキャリアを持つ。種々の実施形態において、ガードサブキャリア情報は、プリアンブル（例、スーパーフレームプリアンブル）内で同報通信される。動作は、ステップ７１１からステップ７１２へと進む。
【００７２】
ステップ７１２において、通信装置は、第１の無線端末へ帯域幅の少なくとも２つの不連続部分を含む資源の割り当てを伝える、単一の割り当てメッセージを送信する。いくつかの実施形態において、送信される割り当て情報は、サブキャリアのセットであって、帯域幅の少なくとも２つの不連続部分のおのおのからの少なくとも１つのサブキャリアを含むサブキャリアのセット、に対応する、ノード識別子を含む。種々の実施形態において、割り当ては、帯域幅の複数の不連続部分から構築される通信チャンネルに対応するサブキャリアを表す、チャンネルツリーに基づく資源へ第１の無線端末を割り当てることを含む。
【００７３】
動作は、ステップ７１２からステップ７１４へと進む。ステップ７１４において、通信装置は、第２の無線端末へ割り当てを伝達する割り当て情報を送信する。
【００７４】
いくつかの実施形態において、ステップ７０６、７１０、および、７１４は、オプションのステップであり、省略される。
【００７５】
いくつかの実施形態において、第２の無線端末は、１期間について使用される帯域幅の少なくとも２つの不連続部分であって、前記資源に含まれない帯域幅の部分により分離されている帯域幅の２つの不連続部分、を含む資源を割り当てられている。
【００７６】
ステップ７１６、７１８、および７２０は、いくつかの実施形態に含まれるが、他の実施形態において省略されるステップである。動作はステップ７１４からステップ７１６へと進む。ステップ７１６において、第１の無線端末に割り当てられる資源がダウンリンク資源である場合には、通信装置は、ステップ７１６からステップ７１８へ進むように制御される。しかしながら、第１の無線端末へ割り当てられる資源がアップリンク資源である場合には、通信装置はステップ７１６からステップ７２０へ進むように制御される。ステップ７１８に戻ると、ステップ７１８において、通信装置は、前記の不連続部分へ対応するが、前記の資源に含まれない帯域幅の前記の部分へ対応しないトーンを含む前記の無線端末に向けられる情報を含む、ＯＦＤＭ信号を送信する。ステップ７２０に戻ると、ステップ７２０において、通信装置は、前記の第１の無線端末からの情報を含む受信されたＯＦＤＭ信号を処理するが、そこにおいて、前記の処理は、前記の資源に含まれない前記の帯域幅の前記の部分に対応するサブキャリアをフィルタで除外することを含む。
【００７７】
１つの典型的な実施形態において、通信装置は、図３の３０２により示される第１のバンドと図３の３０６により示される第２のバンドにおいて通信をサポートする基地局である。しかしながら、その基地局は、図３のバンド３０４において通信をサポートしない。３０４により示される区域は、少なくとも１．２５ＭＨｚであると仮定する。その例で続けると、第１の無線端末が２つの不連続部分を含むバンド３０２を使用するために割り当てられると仮定する。基地局は、その位置におけるその帯域幅内で認可されていない通信サービスプロバイダにより、バンド３０４を使用することを制限されている可能性がある。あるは、基地局は、干渉制御の目的で、バンド３０４内で通信していないかもしれない。
【００７８】
図８は、各種実施形態に従って、無線端末（例、アクセス端末）を動作させる典型的な方法の流れ図１１００である。動作は無線端末がパワーオン状態にされ初期化される、ステップ１１０２において開始する。動作はスタートステップ１１０２からステップ１１０４へ進む。ステップ１１０４では、無線端末は、前記の資源に含まれない帯域幅の部分により分離される帯域幅の少なくとも２つの不連続部分を含む資源を前記の無線端末へ、ある期間、割り当てることを表す資源割り当てメッセージを受信する。いくつかの実施形態において、帯域幅の不連続部分は、少なくとも１．２５ＭＨｚだけ分離される。いくつかの実施形態において、異なる数のガードサブキャリアは、帯域幅の異なる不連続部分と関係する。割り当てられた資源は、アップリンク資源であるかもしれないし、時にはアップリンク資源である。割り当てられた資源は、ダウンリンク資源であるかもしれないし、時にはダウンリンク資源である。動作はステップ１１０４からステップ１１０６へ進む。
【００７９】
ステップ１１０６において、無線端末は、前記の受信された資源割り当てメッセージおいて受信されるノード識別子と格納された情報から、前記の無線端末により使用されるために、前記のノード識別子の対応するサブキャリアのセットを決定する。いくつかの実施形態において、サブキャリアのセットは、帯域幅の少なくとも２つの不連続部分のおのおのから少なくとも１つのガードサブキャリアを含む。動作は、ステップ１１０６からステップ１１０８へ進む。
【００８０】
ステップ１１０８において、無線端末は、無線端末へ割り当てられてきた帯域幅の不連続部分の少なくとも１つにおいて、ガードサブキャリアの数と位置の少なくとも１つを表すガードサブキャリア情報を受信する。種々の実施形態において、ガードサブキャリア情報を受信することは、ガードサブキャリア情報を含む同報通信のプリアンブル（例、スーパーフレームプリアンブル）を受信することを含む。いくつかの実施形態において、バンドの部分の端におけるガードサブキャリアの数は、隣接しているバンド内で使用されている通信プロトコル（例、ＣＤＭＡプロトコルまたはＯＦＤＭプロトコル）の関数である。次に、ステップ１１１０において、無線端末は、前記の受信されたガードサブキャリアの情報少なくともいくつかを格納する。前記の格納されるガードサブキャリア情報は、帯域幅の異なる部分内の異なるガードサブキャリア位置を表す。動作は、ステップ１１１０からステップ１１１２へと進む。
【００８１】
ステップ１１１２において、無線端末は、たとえば基地局のような、アクセスポイントと通信するために、前記の割り当てられた資源を使用する。いくつかの実施形態において、ステップ１１１２は、ステップ１１１４、１１１６、１１１８、および、１１２０の１つ以上を含む。ステップ１１１４において、無線端末は、割り当てられた資源がアップリンクまたはダウンリンク資源であるかどうかを決定する。割り当てられた資源がアップリンク資源である場合には、次に動作はステップ１１１４からステップ１１１６へ進む。割り当てられた資源がダウンリンク資源である場合には、動作はステップ１１１４からステップ１１２０へ進む。ステップ１１１６へ戻ると、ステップ１１１６において、無線端末は、前記のアクセスポイントに向けられる情報を含むＯＦＤＭシンボルであって、前記の不連続部分へ対応するが、前記の資源に含まれない帯域幅の前記の部分へ対応しないトーンを含む前記のＯＦＤＭシンボル、を生成する。次に、ステップ１１１８において、無線端末は、割り当てられた資源を使用して、生成されたＯＦＤＭシンボルを送信する。ステップ１１２０へ戻ると、ステップ１１２０において、無線端末は、前記のアクセスポイントからの情報を含む受信されたＯＦＤＭシンボルを処理する、そこにおいて、前記の処理は、前記割り当てられた資源に含まれるのではなく、前記の少なくとも２つの不連続部分からのサブキャリアを含む前記の帯域幅の前記の部分に対応する、サブキャリアをフィルタして除外することを含む。
【００８２】
図９は、種々の実施形態に従って、無線通信システム内の資源を割り当てるために使用される典型的な通信装置９００（例、基地局、アクセスポイント、または、中央コントローラノード）の図である。典型的な通信装置９００は、各種要素がデータと情報を交換し得るバス９１２を介して互いに結合される、無線受信機モジュール９０２、無線送信機モジュール９０４、プロセッサ９０６、ネットワークインターフェースモジュール９０８、およびメモリ９１０を含む。メモリ９１０は、ルーチン９１８とデータ／情報９２０を含む。プロセッサ９０６（例、ＣＰＵ）は、通信装置９００の動作を制御し、方法（例、図７の流れ図７００の方法）を実施するために、ルーチン９１８を実行し、メモリ９１０内のデータ／情報９２０を使用する。
【００８３】
たとえばＯＦＤＭまたはＣＤＭＡ受信機のような無線受信機モジュール９０２は、通信装置がそれを介して干渉が測定される信号を含む信号を受信する、受信アンテナ９１４と結合される。
【００８４】
たとえばＯＦＤＭまたはＣＤＭＡ送信機のような無線送信機モジュール９０４は、通信装置がそれを介して信号を送信するところの送信アンテナ９１６に結合される。無線送信機モジュール９０４は資源割り当てを送信する、そして、その資源割り当ての少なくともいくつかは、無線端末への帯域幅の不連続部分の割り当てを含む。無線送信機モジュール９０４は、生成された割り当てメッセージ（９３８，・・・，９４０）を送信する。いくつかの実施形態において、無線送信機モジュール９０４は、不連続部分へ対応するトーンを含む無線端末に向けられる情報を含むＯＦＤＭシンボルを送信するが、前記の割り当てられた資源内に含まれない帯域幅の前記の部分（例、不連続部分間の送信されたＯＦＤＭシンボルにおいて空領域(null region)が存在する）上で送信することを差し控える。無線送信機モジュール９０４は、ガードバンド情報（例、バンドの１つ以上の不連続部分におけるガードサブキャリアの数および／または位置を識別する情報）を含むプリアンブルの同報通信も行う。
【００８５】
いくつかの実施形態において、同じアンテナは送信と受信に対して使用される。いくつかの実施形態において、複数のアンテナおよび／または複数のアンテナエレメントは、受信に対して使用される。いくつかの実施形態において、複数のアンテナおよび／またはアンテナエレメントは送信に対して使用される。いくつかの実施形態において、同じアンテナまたはアンテナエレメントの少なくともいくつかは、送信と受信の両方に対して使用される。いくつかの実施形態において、無線通信装置９００はＭＩＭＯ技法を使用する。
【００８６】
ネットワークインターフェースモジュール９０８は、他のネットワークノード（例、他のアクセスポイント／基地局、ＡＡＡノード、ホームエージェントノード等、および／または、ネットワークリンク９０９を介してのインターネット）へ結合される。
【００８７】
ルーチン９１８は、選択モジュール９２２、割り当てモジュール９２４、送信制御モジュール９３０、シンボル生成モジュール９２７、シンボル回復モジュール９２９、および、プリアンブル生成モジュール９２５を含む。割り当てモジュール９２４は、資源割り当てモジュール９２６と割り当てメッセージ生成モジュール９２８を含む。
【００８８】
データ／情報９２０は、エアーリンク資源構造情報９３２、選択される無線端末情報９３４、割り当て情報９３６、生成される割り当てメッセージ（ＷＴ１  ９３８に対する割り当てメッセ−ジ，・・・，ＷＴｎ  ９４０に対する割り当てメッセージ）、および、チャンネルツリー資源情報９４２を含む。エアーリンク資源構造情報９３２は、複数のエアーリンク資源に対応する情報（エアーリンク資源１情報９４４，・・・，エアーリンク資源Ｍ情報９４６）と帯域幅９４８の不連続部分を識別する情報、を含む。エアーリンク資源１情報９４４は、複数の部分に対応する情報を含む（部分１情報９５０，・・・，部分Ｎ情報９５２）。部分１情報９５０は、周波数／時間構造情報９５４、チャンネル情報９５６、および、ガードバンド情報９５８を含む。部分Ｎ情報９５２は、周波数／時間構造情報９６０、チャンネル情報９６２、および、ガードバンド情報９６４を含む。エアーリンク資源情報９４４における部分の少なくともいくつかは、他の部分と不連続である。たとえば、エアーリンク資源１の部分ではない中間周波数バンド領域が存在する。
【００８９】
たとえば、エアーリンク資源１情報９４４は、割り当てに対して利用可能な第１の通信バンドを表す格納されたエアーリンク情報を表すが、エアーリンク資源Ｍ情報９４６は、割り当てに対して利用可能な第２の通信バンドを表す格納されたエアーリンク資源情報を示す。部分１情報９５０は、第１の通信バンドにおける帯域幅の第１の不連続部分へ対応する情報を示すが、部分Ｎ情報９５２は、第１の通信バンドにおける帯域幅の第２の不連続部分へ対応する情報を示す。いくつかの実施形態において、帯域幅の不連続部分は、少なくとも１．２５ＭＨｚ分離される。ガードバンド情報９５８は、第１の通信バンドの部分１内のガードバンドの数と位置の少なくとも１つについての情報を含む。ガードバンド情報９６４は、第１の通信バンドの部分Ｎ内のガードバンドの数と位置の少なくとも１つについての情報を含む。いくつかの実施形態において、ガードバンドは、境界領域における１つあるいは少数のサブキャリア（例、意図的に使用されないままの境界におけるサブキャリア）のセットである。
【００９０】
選択される無線端末情報９３４は、エアーリンク資源を割り当てられるために、通信装置９００により選択されてきた複数の無線端末を識別する情報（選択される無線端末１識別情報９６６，・・・，選択されるＷＴｎ識別情報９６８）を含む。割り当て情報９３６は、資源割り当て情報の複数のセット（ノード識別子９７４を含むＷＴ１資源割り当て情報９７０，・・・，ノード識別子９７６を含むＷＴｎ資源割り当て情報９７２）を含む。
【００９１】
チャンネルツリー資源情報９４２は、帯域幅の複数の不連続部分から構築される通信チャンネルに対応するサブキャリアを表す情報を含む。
【００９２】
選択モジュール９２２は、通信資源を割り当てられるために、無線端末を選択する。たとえば、選択モジュール９２２は、通信資源を割り当てられるために、第１の無線端末を選択する。選択される無線端末情報９３４は、選択モジュール９２２の出力である。
【００９３】
資源割り当てモジュール９２６は、選択モジュール９２２ａ資源により選択される無線端末を割り当てる。たとえば、資源割り当てモジュール９２６は、期間に対する帯域幅の少なくとも２つの不連続部分であって、前記の割り当てられる資源に含まれない帯域幅の部分により分離されている帯域幅の前記の２つの不連続部分、を含む資源に、選択モジュール９２２により選択される第１の無線端末を割り当てる。割り当てられる資源は、アップリンク資源であるかもしれないし、時にはアップリンク資源である。割り当てられる資源は、ダウンリンク資源であるかもしれないし、時にはダウンリンク資源である。割り当て情報９３６は、資源割り当てモジュール９２６の出力を示す。
【００９４】
割り当てメッセージ生成モジュール９２８は、無線端末へ資源割り当てを伝える割り当てメッセージを生成する。たとえば、割り当てメッセージ生成モジュール９２８は、第１の無線端末へ帯域幅の少なくとも２つの不連続部分を含む資源の割り当てを伝達する単一割り当てメッセージを生成する。いくつかの実施形態において、割り当てメッセージ生成モジュール９２８は、サブキャリアのセットであって、帯域幅の少なくとも２つの不連続部分のおのおのから少なくとも１つのサブキャリアを含むサブキャリアのセット、を含むサブキャリアに対応するノード識別子を含む割り当てメッセージを生成する。生成された割り当てメッセージ（９３８，・・・，９４０）は、割り当てメッセージ生成モジュール９２８の出力を示す。
【００９５】
送信制御モジュール９３０は、信号（例、プリアンブル、割り当てメッセージ、ダウンリンクトラフィックチャンネル信号、ダウンリンク制御チャンネル信号）を送信するために、無線送信機モジュール９０４を制御する。
【００９６】
シンボル生成モジュール９２７は、ＯＦＤＭシンボルを生成する。いくつかの実施形態において、生成されるＯＦＤＭシンボルの少なくともいくつかは、帯域幅の不連続部分に対応するが、前記の割り当てられる資源に含まれない帯域幅の前記の部分に対応しないトーンを含む。たとえば、生成されるＯＦＤＭシンボルが図３のエレメント３０２により示されるバンドへ対応することと、バンド３０４が通信装置により使用されず、典型的な生成されるＯＦＤＭシンボルが３０２の上部と３０２の下部に対応するサブキャリアを含むが、バンド３０４の領域へ対応するサブキャリアを含まないことは、考慮するべきである。
【００９７】
シンボル回復モジュール９２９は、受信ＯＦＤＭシンボルから情報を回復する。不連続部分を含む少なくともいくつかのバンドに対するいくつかの実施形態において、シンボル回復モジュール９２９は、たとえば２つの不連続部分間の部分のような、割り当てられた資源に含まれない帯域幅の部分におけるサブキャリアをフィルタで除外する。
【００９８】
プリアンブル生成モジュール９２５は、たとえばガードバンド情報の少なくともいくつかのような、ガードバンド情報を伝える、たとえばスーパーフレームに対するプリアンブルのような、プリアンブルを生成する（９５８、９６４）。
【００９９】
図１０は、種々の実施形態に従う典型的な無線端末１０００（例、アクセス端末）の図面である。典型的な無線端末１０００は、種々の要素がデータと情報を交換し得るバス１０１２を介して互いに結合される、無線受信機モジュール１００２、無線送信機モジュール１００４、プロセッサ１００６、ユーザＩ／Ｏ装置１００８、およびメモリ１０１０を含む。メモリ１０１０は、ルーチン１０１８とデータ／情報１０２０を含む。たとえばＣＰＵのようなプロセッサ１００６は、無線端末１０００の動作を制御し、たとえば図８の流れ図１１００の方法のような方法を実現するために、ルーチン１０１８を実行し、メモリ１０１０内のデータ／情報１０２０を使用する。
【０１００】
たとえばＯＦＤＭ受信機のような無線受信機モジュール１００２は、無線端末１０００が、それを介してたとえばアクセスポイントのような通信装置からのダウンリンク信号を受信する、受信アンテナ１０１４に結合される。無線受信機モジュール１００２は、プリアンブルであって、ガードサブキャリア情報を伝える前記プリアンブル、を受信する。無線受信機モジュール１００２は、さらに、たとえばダウンリンクトラフィックデータと制御データのような、フォワードリンクフレーム内で通信される情報を受信する。無線受信機モジュール１００２は、たとえばメッセージ１０２８のような資源割り当てメッセージであって、前記資源に含まれない帯域幅の部分により分離される帯域幅の少なくとも２つの不連続部分を含む資源の前記無線端末１０００へ、ある期間、割り当てを指示する前記の資源割り当てメッセージ、を受信する。たとえば、資源割り当てメッセージ１０２８は、無線端末１０００が、図３の３０２を割り当てられるエアーリンク資源を割り当てられたことを示す可能性がある。割り当てられた資源は、アップリンク資源であるかもしれないし、時にはアップリンク資源である。割り当てられた資源は、ダウンリンク資源であるかもしれないし、時にはダウンリンク資源である。
【０１０１】
いくつかの実施形態において、異なる数のガードサブキャリアは、帯域幅の異なる部分と関係があるかもしれないし、時には関係がある。種々の実施形態において、帯域幅の不連続部分は、少なくとも１．２５ＭＨｚだけ分離される。
【０１０２】
たとえばＯＦＤＭ送信機のような無線送信機モジュール１００４は、無線端末１０００が、それを介してたとえばアクセスポイントのような通信装置へアップリンク信号を送信する送信アンテナ１０１６に結合される。送信機モジュール１００４は、シンボル生成モジュール１０２２により生成された、たとえばＯＦＤＭシンボルのようなシンボルを送信する。時には、生成されたシンボルは、２つの不連続部分間の意図的な空領域を割り当てられ含む資源の２つの不連続部分へ対応するサブキャリアを含む。
【０１０３】
いくつかの実施形態において、同じアンテナが送信と受信のために使用される。いくつかの実施形態において、複数のアンテナおよび／または複数のアンテナエレメントが受信のために使用される。いくつかの実施形態において、複数のアンテナおよび／または複数のアンテナエレメントが送信のために使用される。いくつかの実施形態において、同じアンテナまたはアンテナエレメントの少なくともいくつかは、送信と受信の両方に対して使用される。いくつかの実施形態において、無線端末１０００はＭＩＭＯ技法を使用する。
【０１０４】
ユーザーＩ／Ｏ装置１００８は、たとえばマイクロホン、キーボード、キーパッド、スイッチ、カメラ、スピーカ、ディスプレイ、等を含む。ユーザーＩ／Ｏ装置１００８は、無線端末１０００のユーザーが、データ／情報を入力し、出力データ／情報にアクセスし、および、たとえば他の無線端末のようなピアノードで通信セッションを開始するような、無線端末１０００の少なくともいくつかの機能を制御することを可能にする。
【０１０５】
ルーチン１０１８は、シンボル生成モジュール１０２２、シンボル回復モジュール１０２４、および、ガードサブキャリア情報回復モジュール１０２６を含む。データ／情報１０２０は、受信資源割り当てメッセージ１０２８、受信ガードサブキャリア情報１０３２、および、情報１０３３をマップするノード識別子／サブキャリアを含む。受信資源割り当てメッセージ１０２８は、ノード識別子１０３０を含む。受信ガードサブキャリア情報１０３２は、帯域幅の異なる不連続部分内の異なるガードサブキャリア位置を表す情報を含む。いくつかの実施形態において、ガードサブキャリア情報は、たとえばスーパーフレームのプリアンブルのような受信プリアンブルから抽出される。情報１０３３をマッピングするノード識別子／サブキャリアは、ノード識別子へ対応するサブキャリアのセットを含む（（ノード識別子１  １０３４とサブキャリア１０３８の対応セット１），・・・，（ノード識別子Ｎ  １０３６とサブキャリア１０４０の対応セットＮ）。種々の実施形態において、ノード識別子に対応するサブキャリアのセットは、ノード識別子により識別される資源に対応する帯域幅の少なくとも２つの不連続部分のおのおのからの少なくとも１つのガードサブキャリアを含む。
【０１０６】
シンボル生成モジュール１０２２は、割当される資源に対応するシンボルを生成する。いくつかの実施形態において、シンボル生成モジュール１０２２は、アクセスポイントに向けられる情報を含むＯＦＤＭシンボルであって、前記の不連続部分へ対応するが、前記の資源に含まれない帯域幅の前記の部分へ対応しないトーンを含む前記のＯＦＤＭシンボル、を生成するＯＦＤＭシンボル生成モジュールである。トーンは、サブキャリアとしても呼ばれるかもしれないし、時には呼ばれる。
【０１０７】
シンボル回復モジュール１０２４は、たとえば割当された資源に対応するＯＦＤＭシンボルのようなシンボルを回復する。割当された資源が資源内に含まれない帯域幅の部分により分離される２つの不連続部分を含む場合には、シンボル回復モジュール１０２４は、回復動作の部分として資源内に含まれない帯域幅の部分内のサブキャリアをフィルタして除外する。
【０１０８】
ガードサブキャリア情報回復モジュール１０２６は、帯域幅の前記の不連続部分の少なくとも１つにおけるガードサブキャリアの数と位置の少なくとも１つを表す受信情報を回復する。
【０１０９】
開示される実施形態についての前述の説明は、任意の当業者が種々の特徴を作るか使用することを可能にするために提供される。これらの実施形態への種々の修正は、当業者に容易に明白になるであろう。そして、ここに定義された一般的な法則は、開示の精神または範囲から外れずに、他の実施形態に適用されるかもしれない。したがって、種々の実施形態は、ここに示される実施形態に限定するようには意図されない、ここに開示された法則と新規な特徴に一致する最も広い範囲を与えられるべきである。
【０１１０】
種々の実施形態において、ここで説明されるノードは、たとえば、信号処理、メッセージ生成および／または送信ステップのような態様の１つ以上の方法に対応するステップを実行するために、１つ以上のモジュールを使用して実現される。つまり、いくつかの実施形態において、種々の特徴は、モジュールを使用して実現される。そのようなモジュールは、ソフトウェア、ハードウェアまたはソフトウェアとハードウェアの組み合わせを使用して実現されるかもしれない。上記で説明される方法または方法ステップの多くは、たとえば追加的ハードウェアを持つかまたは持たない汎用コンピュータのような、機械を制御するために、たとえば１つ以上のノードにおけるように、上記で説明される方法のすべてまたは部分を実現するために、たとえばＲＡＭ、フロッピー(登録商標)ディスク、コンパクトディスク、ＤＶＤ等のようなメモリ装置のような機械可読媒体に含まれるソフトウェアのような機械実行可能な命令を使用して実現が可能である。したがって、とりわけ、その態様は、たとえばプロセッサおよび関連するハードウェアのような機械に上記で説明された方法の１つ以上のステップを実行することを生じさせるための機械実行可能な命令を含む機械可読媒体に向けられる。
【０１１１】
種々の実施形態において、ここで説明されるノードは、たとえば、信号処理、メッセージ生成、情報回復および／または送信ステップのような、１つ以上の方法に対応するステップを実現するために、１つ以上のモジュールを使用して実現される。いくつかの実施形態において、種々の特徴はモジュールを使用して実現される。そのようなモジュールは、ソフトウェア、ハードウェアまたはソフトウェアとハードウェアの組み合わせを使用して実現されるかもしれない。上記で述べられた方法または方法ステップの多くは、たとえば追加的ハードウェアを持つかまたは持たない汎用計算機のような機械を制御するために、たとえば１つ以上のノードにおけるように、上記で説明された方法のすべてまたは部分を実現するために、たとえばＲＡＭ、フロッピー(登録商標)ディスク、コンパクトディスク、ＤＶＤ等のようなメモリ装置のような機械可読媒体に含まれるソフトウェアのような機械実行可能な命令を使用して実現されることが可能である。したがって、とりわけ、種々の実施形態は、たとえばプロセッサと関連ハードウェアのような機械が、上記で説明される方法の１つ以上のステップを実行することを生じさせるための機械実行可能な命令を含む機械可読媒体に向けられる。
【０１１２】
いくつかの実施形態において、１つ以上の装置、例、アクセス端末および／またはアクセスポイントのような通信装置、の１つまたは複数のプロセッサ、例、ＣＰＵ、は、通信装置により実行されていると説明された方法のステップを実行するために構成される。プロセッサの構成は、プロセッサ構成を制御するためにおよび／またはプロセッサ内にハードウェアを含むことによって、例、ハードウェアモジュール、リサイトステップを実行するためにおよび／またはプロセッサ構成を制御するために、１つ以上のモジュール、例、ソフトウェアモジュール、を使用することにより達成される可能性がある。したがって、いくつかだがすべてではない実施形態は、プロセッサが含まれる装置により実行される種々の説明された方法のステップのおのおのへ対応するモジュールを含むプロセッサを持つ、たとえば通信装置のような装置へ向けられる。いくつかだがすべてではない実施形態において、たとえば通信装置のような装置は、プロセッサが含まれる装置により実行される種々の説明された方法のステップの各々に対応するモジュールを含む。モジュールは、ソフトウェアおよび／またはハードウェアを使用して実現されるかもしれない。
【０１１３】
上記で説明された方法と装置に関する多数の追加的変形は、上記の説明の点から、当業者には明白であろう。そのような変形は範囲内とみなされるべきである。種々の実施形態の方法と装置は、ＣＤＭＡ、直交周波数分割多重（ＯＦＤＭＡ）および／またはアクセスノードと移動ノード間の無線通信リンクを提供するために使用され得る通信技法の種々の他のタイプとともに使用されるかもしれないし、種々の実施形態において使用される。いくつかの実施形態において、アクセスノードは、ＯＦＤＭおよび／またはＣＤＭＡを使用する移動ノードを持つ通信リンクを確立する基地局として実現される。種々の実施形態において、移動ノードは、種々の実施形態の方法を実現するために、ノートブックコンピュータ、携帯情報端末（ＰＤＡ）または受信機／送信機回路と論理および／またはルーチンを含む他の携帯装置として実現される。
【図１】
2009542121.tif 000003
【図２Ａ】
2009542121.tif 000004
【図２Ｂ】
2009542121.tif 000005
【図３】
2009542121.tif 000006
【図４】
2009542121.tif 000007
【図５Ａ】
2009542121.tif 000008
【図５Ｂ】
2009542121.tif 000009
【図６】
2009542121.tif 000010
【図７】
2009542121.tif 000011
【図８】
2009542121.tif 000012
【図９】
2009542121.tif 000013
【図１０】
2009542121.tif 000014
【国際調査報告】
2009542121.tif 000015
2009542121.tif 000016
2009542121.tif 000017
2009542121.tif 000018